(57)【要約】      （修正有）【課題】複数の異なるヌメロロジのうちの少なくとも１つにしたがって、シングルキャリア内で情報を送信および／または受信する無線通信デバイスまたは無線アクセスノードの動作方法を提供する。【解決手段】シングルキャリア内で利用可能な複数の異なるヌメロロジのうちの少なくとも１つを用いてマルチサブキャリアシステムのリソースをアドレス指定し、複数の異なるヌメロロジは第１の帯域幅および第１のサブキャリア間隔Δｆ１を有するリソースブロックを有する第１のヌメロロジと、第２の帯域幅およびΔｆ１とは異なる第２のサブキャリア間隔Δｆ２を有するＲＢを有する第２のヌメロロジとを含み、第１のヌメロロジは、ｍ＊Δｆ１＋Ｆｒｅｆにしたがって周波数リファレンスに対して周波数ドメインで位置合わせされ、第２のヌメロロジは、ｎ＊Δｆ２＋Ｆｒｅｆにしたがって周波数リファレンスに対して周波数ドメインで位置合わせされる。【選択図】なし【特許請求の範囲】
【請求項１】
ユーザ装置（１３００）の動作方法であって、
シングルキャリア内で利用可能な複数の異なるヌメロロジのうちの少なくとも１つを用いて、マルチサブキャリアシステムのリソースをアドレス指定することであって、前記複数の異なるヌメロロジは、第１の帯域幅および第１のサブキャリア間隔Δｆ１を有するリソースブロック（ＲＢ）を有する第１のヌメロロジと、第２の帯域幅およびΔｆ１とは異なる第２のサブキャリア間隔Δｆ２を有するＲＢを有する第２のヌメロロジとを含み、前記第１のヌメロロジは、ｍ＊Δｆ１＋Ｆｒｅｆにしたがって周波数リファレンスに対して周波数ドメインで位置合わせされ、前記第２のヌメロロジは、ｎ＊Δｆ２＋Ｆｒｅｆにしたがって前記周波数リファレンスに対して前記周波数ドメインで位置合わせされ、ｍおよびｎは整数である、前記アドレス指定すること（Ｓ１６０５）と、
前記複数の異なるヌメロロジのうちの前記少なくとも１つにしたがって、前記シングルキャリア内で情報を送信および／または受信すること（Ｓ１６１０）と、
を含む方法。
【請求項２】
請求項１に記載の方法であって、割当てられた前記第１のヌメロロジのＲＢのサブキャリアは、割当てられた前記第２のヌメロロジのＲＢのサブキャリアと、Δｆ１またはΔｆ２の関数であるサイズを有する周波数ギャップによって離間される方法。
【請求項３】
請求項１または２に記載の方法であって、前記第１のサブキャリア間隔Δｆ１は、Δｆ２＝Ｎ＊Δｆ１となる整数のスケーリングファクタによって前記第２のサブキャリア間隔Δｆ２と関連付けられる方法。
【請求項４】
請求項３に記載の方法であって、Δｆ１＝１５ｋＨｚでありΔｆ２＝６０ｋＨｚである方法。
【請求項５】
請求項１乃至４の何れか１項に記載の方法であって、前記シングルキャリアは、約１０ＭＨｚまたは２０ＭＨｚの帯域幅を有する方法。
【請求項６】
請求項１乃至５の何れか１項に記載の方法であって、前記マルチサブキャリアシステムは直交周波数分割多重（ＯＦＤＭ）システムである方法。
【請求項７】
請求項６に記載の方法であって、前記マルチサブキャリアシステムはプリコーデッド・マルチサブキャリアシステムである方法。
【請求項８】
請求項７に記載の方法であって、前記プリコーデッド・マルチサブキャリアシステムは離散フーリエ変換（ＤＦＴ）拡散ＯＦＤＭ（ＤＦＴＳ−ＯＦＤＭ）システムである方法。
【請求項９】
請求項１乃至８のいずれか１項に記載の方法であって、前記複数の異なるヌメロロジのうちの前記少なくとも１つは、複数の異なるヌメロロジを含む方法。
【請求項１０】
請求項１乃至９のいずれか１項に記載の方法であって、前記複数の異なるヌメロロジの中の第１のヌメロロジの周波数リファレンスおよび幅に対する開始周波数を指し示す、第１および第２の整数ＢおよびＤを送信または受信することを含み、前記開始周波数はＢ＊Ｋ１＊Δｆにしたがって定義され、前記第１のヌメロロジの前記帯域幅はＤ＊Ｋ１＊Δｆにしたがって定義され、Ｋ１は前記シングルキャリアのヌメロロジの最小のサブキャリア間隔の単位で表される前記第１のヌメロロジの最小のアドレス指定可能な単位の帯域幅を示し、Δｆは前記最小のサブキャリア間隔を示す方法。
【請求項１１】
請求項１０に記載の方法であって、さらに前記複数の異なるヌメロロジの中の第２のヌメロロジの周波数リファレンスおよび幅に対する開始周波数を指し示す、第３および第４の整数ＡおよびＣを送信または受信することを含み、前記第２のヌメロロジの前記開始周波数はＡ＊Ｋ２＊Δｆにしたがって定義され、前記第２のヌメロロジの前記帯域幅はＣ＊Ｋ２＊Δｆにしたがって定義され、Ｋ２は前記シングルキャリアのヌメロロジの最小のサブキャリア間隔の単位で表される前記第２のヌメロロジの最小のアドレス指定可能な単位の帯域幅を示す方法。
【請求項１２】
請求項１０に記載の方法であって、前記第１乃至第４の整数はダウンリンク制御情報（ＤＣＩ）で送信または受信される方法。
【請求項１３】
請求項１乃至１２のいずれか１項に記載の方法であって、前記複数の異なるヌメロロジのうちの前記少なくとも１つのうちのそれぞれのリソース割当てを指し示すビットマップを送信または受信することをさらに含む方法。
【請求項１４】
ユーザ装置（１３００）であって、
シングルキャリア内で利用可能な複数の異なるヌメロロジのうちの少なくとも１つを用いてマルチサブキャリアシステムのリソースをアドレス指定する（Ｓ１６０５）ことであって、前記複数の異なるヌメロロジは、第１の帯域幅および第１のサブキャリア間隔Δｆ１を有するリソースブロック（ＲＢ）を有する第１のヌメロロジと、第２の帯域幅およびΔｆ１とは異なる第２のサブキャリア間隔Δｆ２を有するＲＢを有する第２のヌメロロジとを含み、前記第１のヌメロロジは、ｍ＊Δｆ１＋Ｆｒｅｆにしたがって周波数リファレンスに対して周波数ドメインで位置合わせされ、前記第２のヌメロロジは、ｎ＊Δｆ２＋Ｆｒｅｆにしたがって前記周波数リファレンスに対して周波数ドメインで位置合わせされ、ｍおよびｎは整数であるように、全体として構成される処理回路（１３０５）およびメモリ（１３１０）と、
前記複数の異なるヌメロロジのうちの前記少なくとも１つにしたがって、前記シングルキャリア内で情報を送信および／または受信する（Ｓ１６１０）ように構成される少なくとも１つの送信機および／または受信機と、
を含むユーザ装置。
【請求項１５】
請求項１４に記載のユーザ装置であって、割当てられた前記第１のヌメロロジのＲＢのサブキャリアは、割当てられた前記第２のヌメロロジのＲＢのサブキャリアと、Δｆ１またはΔｆ２の関数であるサイズを有する周波数ギャップによって離間されるユーザ装置。
【請求項１６】
請求項１４または１５に記載のユーザ装置であって、前記第１のサブキャリア間隔Δｆ１は、前記第２のサブキャリア間隔Δｆ２と、Δｆ２＝Ｎ＊Δｆ１となる整数のスケーリングファクタによって関連付けられるユーザ装置。
【請求項１７】
請求項１６に記載のユーザ装置であって、Δｆ１＝１５ｋＨｚでありΔｆ２＝６０ｋＨｚであるユーザ装置。
【請求項１８】
請求項１４乃至１７の何れか１項に記載のユーザ装置であって、前記シングルキャリアは、約１０ＭＨｚまたは２０ＭＨｚの帯域幅を有するユーザ装置。
【請求項１９】
請求項１４乃至１８の何れか１項に記載のユーザ装置であって、前記マルチサブキャリアシステムは直交周波数分割多重（ＯＦＤＭ）システムであるユーザ装置。
【請求項２０】
請求項１９に記載のユーザ装置であって、前記マルチサブキャリアシステムはプリコーデッド・マルチサブキャリアシステムであるユーザ装置。
【請求項２１】
請求項２０に記載のユーザ装置であって、前記プリコーデッド・マルチサブキャリアシステムは離散フーリエ変換（ＤＦＴ）拡散ＯＦＤＭ（ＤＦＴＳ−ＯＦＤＭ）システムであるユーザ装置。
【請求項２２】
請求項１４乃至２１のいずれか１項に記載のユーザ装置であって、前記複数の異なるヌメロロジのうちの前記少なくとも１つは、複数の異なるヌメロロジを含むユーザ装置。
【請求項２３】
請求項１４乃至２２のいずれか１項に記載のユーザ装置であって、前記少なくとも１つの送信器および／または受信器は，さらに前記複数の異なるヌメロロジの第１のヌメロロジの周波数リファレンスおよび幅に対する開始周波数を指し示す、第１および第２の整数ＢおよびＤを送信および／または受信するよう構成され、前記開始周波数はＢ＊Ｋ１＊Δｆにしたがって定義され、前記第１のヌメロロジの前記帯域幅はＤ＊Ｋ１＊Δｆにしたがって定義され、Ｋ１は前記シングルキャリアのヌメロロジの最小のサブキャリア間隔の単位で表される前記第１のヌメロロジの最小のアドレス指定可能な単位の帯域幅を示し、Δｆは前記最小のサブキャリア間隔を示す、ユーザ装置。
【請求項２４】
請求項２３に記載のユーザ装置であって、前記少なくとも１つの送信機および／または受信機は、前記複数の異なるヌメロロジの第２のヌメロロジの周波数リファレンスおよび幅に対する開始周波数を指し示す、第３および第４の整数ＡおよびＣを送信および／または受信するようさらに構成され、前記第２のヌメロロジの前記開始周波数はＡ＊Ｋ２＊Δｆにしたがって定義され、前記第２のヌメロロジの前記帯域幅はＣ＊Ｋ２＊Δｆにしたがって定義され、Ｋ２は前記シングルキャリアのヌメロロジの最小のサブキャリア間隔の単位で表される前記第２のヌメロロジの最小のアドレス指定可能な単位の帯域幅を示す、ユーザ装置。
【請求項２５】
請求項２３に記載のユーザ装置であって、前記第１乃至第４の整数はダウンリンク制御情報（ＤＣＩ）で送信または受信されるユーザ装置。
【請求項２６】
請求項２５に記載のユーザ装置であって、前記少なくとも１つの送信機および／または受信機は、前記複数の異なるヌメロロジのうちの前記少なくとも１つのうちのそれぞれのリソース割当てを指し示すビットマップを送信または受信するようさらに構成されるユーザ装置。
【請求項２７】
ユーザ装置（１３００）であって、
シングルキャリア内で利用可能な複数の異なるヌメロロジのうちの少なくとも１つを用いてマルチサブキャリアシステムのリソースをアドレス指定する（Ｓ１６０５）ことであって、前記複数の異なるヌメロロジは、第１の帯域幅および第１のサブキャリア間隔Δｆ１を有するリソースブロック（ＲＢ）を有する第１のヌメロロジと、第２の帯域幅およびΔｆ１とは異なる第２のサブキャリア間隔Δｆ２を有するＲＢを有する第２のヌメロロジとを含み、前記第１のヌメロロジは、ｍ＊Δｆ１＋Ｆｒｅｆにしたがって周波数リファレンスに関して周波数ドメインで位置合わせされ、前記第２のヌメロロジは、ｎ＊Δｆ２＋Ｆｒｅｆにしたがって前記周波数リファレンスに関して周波数ドメインで位置合わせされ、ｍおよびｎは整数であるように構成されるアドレス指定モジュール（１３２５）と、
前記複数の異なるヌメロロジのうちの前記少なくとも１つにしたがって、前記シングルキャリア内で情報を送信および／または受信する（Ｓ１６１０）ように構成される送信および／または受信モジュール（１３２５）と、
を含むユーザ装置。
【請求項２８】
請求項２７に記載のユーザ装置であって、割当てられた前記第１のヌメロロジのＲＢのサブキャリアは、割当てられた前記第２のヌメロロジのＲＢのサブキャリアと、Δｆ１またはΔｆ２の関数であるサイズを有する周波数ギャップによって離間されるユーザ装置。
【請求項２９】
請求項２７または２８に記載のユーザ装置であって、前記第１のサブキャリア間隔Δｆ１は、Δｆ２＝Ｎ＊Δｆ１となる整数のスケーリングファクタによって前記第２のサブキャリア間隔Δｆ２に関連付けられるユーザ装置。
【請求項３０】
請求項２９に記載のユーザ装置であって、Δｆ１＝１５ｋＨｚでありΔｆ２＝６０ｋＨｚであるユーザ装置。
【請求項３１】
請求項２７乃至３０の何れか１項に記載のユーザ装置であって、前記シングルキャリアは、約１０ＭＨｚまたは２０ＭＨｚの帯域幅を有するユーザ装置。
【請求項３２】
請求項２７乃至３１の何れか１項に記載のユーザ装置であって、前記マルチサブキャリアシステムは直交周波数分割多重（ＯＦＤＭ）システムであるユーザ装置。
【請求項３３】
請求項３２に記載のユーザ装置であって、前記マルチサブキャリアシステムはプリコーデッド・マルチサブキャリアシステムであるユーザ装置。
【請求項３４】
請求項３３に記載のユーザ装置であって、前記プリコーデッド・マルチサブキャリアシステムは離散フーリエ変換（ＤＦＴ）拡散ＯＦＤＭ（ＤＦＴＳ−ＯＦＤＭ）システムであるユーザ装置。
【請求項３５】
請求項２７乃至３４のいずれか１項に記載のユーザ装置であって、前記複数の異なるヌメロロジのうちの前記少なくとも１つは、複数の異なるヌメロロジを含むユーザ装置。
【請求項３６】
請求項２７乃至３５のいずれか１項に記載のユーザ装置であって、前記送信および／または受信モジュールは、前記複数の異なるヌメロロジの第１のヌメロロジの周波数リファレンスおよび幅に対する開始周波数を指し示す、第１および第２の整数ＢおよびＤを送信および／または受信するようさらに構成され、前記開始周波数はＢ＊Ｋ１＊Δｆにしたがって定義され、前記第１のヌメロロジの前記帯域幅はＤ＊Ｋ１＊Δｆにしたがって定義され、ここでＫ１は前記シングルキャリアのヌメロロジの最小のサブキャリア間隔の単位で表される前記第１のヌメロロジの最小のアドレス指定可能な単位の帯域幅を示し、Δｆは前記最小のサブキャリア間隔を示す、ユーザ装置。
【請求項３７】
請求項３６に記載のユーザ装置であって、前記送信および／または受信モジュールは、前記複数の異なるヌメロロジの第２のヌメロロジの周波数リファレンスおよび幅に対する開始周波数を指し示す、第３および第４の整数ＡおよびＣを送信および／または受信するようさらに構成され、前記第２のヌメロロジの前記開始周波数はＡ＊Ｋ２＊Δｆにしたがって定義され、前記第２のヌメロロジの前記帯域幅はＣ＊Ｋ２＊Δｆにしたがって定義され、ここでＫ２は前記シングルキャリアのヌメロロジの最小のサブキャリア間隔の単位で表される前記第２のヌメロロジの最小のアドレス指定可能な単位の帯域幅を示し、Δｆは前記最小のサブキャリア間隔を示す、ユーザ装置。
【請求項３８】
請求項３６に記載のユーザ装置であって、前記第１乃至第４の整数はダウンリンク制御情報（ＤＣＩ）で送信または受信されるユーザ装置。
【請求項３９】
請求項３８に記載のユーザ装置であって、前記送信および／または受信モジュールは、前記複数の異なるヌメロロジのうちの前記少なくとも１つのうちのそれぞれのリソース割当を指し示すビットマップを送信または受信するようさらに構成されるユーザ装置。
【発明の詳細な説明】
【技術分野】
【０００１】
［関連出願の相互参照］
本出願は、２０１６年５月１３日に出願された米国仮特許出願第６２／３３６３０２号の優先権を主張するものであり、本明細書で参照によってその内容全体が組み込まれる。
【０００２】
［技術分野］
開示された主題は、一般には電気通信に関する。所定の実施形態は、より具体的には、複数のヌメロロジを使用するマルチサブキャリアシステムの動作に関する。
【背景技術】
【０００３】
第五世代モバイルネットワーク（５Ｇ）の基盤の１つは、モバイルブロードバンド（ＭＢＢ）を超えてネットワークによって提供されるサービスを拡大することである。新しいユースケースには新しい要件が伴いうる。同時に、５Ｇは幅広い周波数範囲をサポートするべきでもあり、デプロイメントオプションに関して柔軟であるべきでもある。
【発明の概要】
【０００４】
開示された主題のいくつかの実施形態においては、無線通信デバイスまたは無線アクセスノードの動作方法は、シングルキャリア内で利用可能な複数の異なるヌメロロジのうちの少なくとも１つを用いてマルチサブキャリアシステムのリソースをアドレス指定することを含み、ここで、複数の異なるヌメロロジは第１の帯域幅および第１のサブキャリア間隔Δｆ１を有するリソースブロックを有する第１のヌメロロジと、第２の帯域幅およびΔｆ１とは異なる第２のサブキャリア間隔Δｆ２を有するＲＢを有する第２のヌメロロジとを含み、第１のヌメロロジは、ｍ＊Δｆ１＋Ｆｒｅｆにしたがって周波数リファレンスに対して周波数ドメインで位置合わせされ、第２のヌメロロジは、ｎ＊Δｆ２＋Ｆｒｅｆに従い、周波数リファレンスに対して周波数ドメインで位置合わせされ、ｍおよびｎは整数である。方法は、さらに、複数の異なるヌメロロジのうちの少なくとも１つにしたがって、シングルキャリア内で情報を送信および／または受信することを含む。
【０００５】
所定の関係する実施形態においては、割当てられた第１のヌメロロジのＲＢのサブキャリアは、割当てられた第２のヌメロロジのＲＢのサブキャリアと、Δｆ１またはΔｆ２の関数であるサイズを有する周波数ギャップによって、離間される。
【０００６】
所定の関係する実施形態においては、第１のサブキャリア間隔Δｆ１は、第２のサブキャリア間隔Δｆ２と、Δｆ２＝Ｎ＊Δｆ１となる整数のスケーリングファクタＮによって関連付けられる。
【０００７】
所定の関係する実施形態においては、Δｆ１＝１５ｋＨｚでありΔｆ２＝６０ｋＨｚである。シングルキャリアは例えば２０ＭＨｚのキャリアまたは１０ＭＨｚのキャリアであってもよい。
【０００８】
所定の関係する実施形態において、マルチサブキャリアシステムは直交周波数分割多重（ＯＦＤＭ）システムである。マルチサブキャリアシステムは、プリコーデッド・マルチサブキャリアシステムであってもよく、プリコーデッド・マルチサブキャリアシステムは離散フーリエ変換（ＤＦＴ）拡散ＯＦＤＭ（ＤＦＴＳ−ＯＦＤＭ）システムであってもよい。
【０００９】
所定の関係する実施形態において、複数の異なるヌメロロジのうちの少なくとも１つは、複数の異なるヌメロロジを含む。
【００１０】
所定の関係する実施形態において、方法は、周波数リファレンスに対する開始周波数および複数の異なるヌメロロジの第１のヌメロロジの帯域幅を指し示す、第１および第２の整数ＢおよびＤを送信または受信することをさらに含み、開始周波数はＢ＊Ｋ１＊Δｆにしたがって定義され、第１のヌメロロジの帯域幅はＤ＊Ｋ１＊Δｆにしたがって定義され、Ｋ１はシングルキャリアのヌメロロジの最小のサブキャリア間隔の単位で表される第１のヌメロロジの最小のアドレス指定可能な単位の帯域幅を示し、Δｆは最小のサブキャリア間隔を示す。このコンテキストにおいて、ヌメロロジの帯域幅は、ヌメロロジが適用される周波数の範囲を参照する。
【００１１】
所定の関係する実施形態において、方法は、周波数リファレンスに対する開始周波数と複数の異なるヌメロロジの第２のヌメロロジの帯域幅とを指し示す、第３および第４の整数ＡおよびＣを送信または受信することを含み、第２のヌメロロジの開始周波数はＡ＊Ｋ２＊Δｆにしたがって定義され、第２のヌメロロジの帯域幅はＣ＊Ｋ２＊Δｆにしたがって定義され、Ｋ２はシングルキャリアのヌメロロジの最小のサブキャリア間隔の単位で表される第２のヌメロロジの最小のアドレス指定可能な単位の帯域幅を示し、Δｆは最小のサブキャリア間隔を示す。
【００１２】
所定の関係する実施形態において、第１乃至第４の整数は、ダウンリンク制御情報（ＤＣＩ）で送信される。そのようなＤＣＩはＤＣＩの単一のインスタンスまたは複数のインスタンスでありうる。例えば、ＤＣＩは整数ＡおよびＣを含む第１のインスタンスと、整数ＢおよびＤを含む第２のインスタンスとを含みうる。
【００１３】
所定の関係する実施形態において、方法は、複数の異なるヌメロロジのうちの少なくとも１つのそれぞれの開始周波数と帯域幅とを指し示すビットマップを送信または受信することをさらに含む。
【００１４】
開示された主題のいくつかの実施形態においては、装置（例えばｅＮＢまたはＵＥ）は、シングルキャリア内で利用可能な複数の異なるヌメロロジのうちの少なくとも１つを用いてマルチサブキャリアシステムのリソースをアドレス指定するよう全体として構成される処理回路とメモリとを含み、複数の異なるヌメロロジは第１の帯域幅および第１のサブキャリア間隔Δｆ１を有するリソースブロック（ＲＢ）を有する第１のヌメロロジと、第２の帯域幅およびΔｆ１とは異なる第２のサブキャリア間隔Δｆ２を有するＲＢを有する第２のヌメロロジとを含み、第１のヌメロロジは、ｍ＊Δｆ１＋Ｆｒｅｆにしたがって周波数リファレンスに対して周波数ドメインで位置合わせされ、第２のヌメロロジは、ｎ＊Δｆ２＋Ｆｒｅｆにしたがって周波数リファレンスに対して周波数ドメインで位置合わせされ、ｍおよびｎは整数である。装置は、複数の異なるヌメロロジのうちの少なくとも１つにしたがって、シングルキャリア内で情報を送信および／または受信するように構成される少なくとも１つの送信機および／または受信機をさらに含む。
【００１５】
所定の関係する実施形態においては、割当てられた第１のヌメロロジのＲＢのサブキャリアは、割当てられた第２のヌメロロジのＲＢのサブキャリアと、Δｆ１またはΔｆ２の関数であるサイズを有する周波数ギャップによって、離間される。
【００１６】
所定の関係する実施形態においては、第１のサブキャリア間隔Δｆ１は、Δｆ２＝Ｎ＊Δｆ１となる整数のスケーリングファクタＮによって第２のサブキャリア間隔Δｆ２と関連付けられる。
【００１７】
所定の関係する実施形態において、Δｆ１＝１５ｋＨｚでありΔｆ２＝６０ｋＨｚである。シングルキャリアは例えば２０ＭＨｚのキャリアまたは１０ＭＨｚのキャリアであってもよい。
【００１８】
所定の関係する実施形態において、マルチサブキャリアシステムは直交周波数分割多重（ＯＦＤＭ）システムである。マルチサブキャリアシステムは、プリコーデッド・マルチサブキャリアシステムであってもよく、プリコーデッド・マルチサブキャリアシステムは離散フーリエ変換（ＤＦＴ）拡散ＯＦＤＭ（ＤＦＴＳ−ＯＦＤＭ）システムであってもよい。
【００１９】
所定の関係する実施形態において、複数の異なるヌメロロジのうちの少なくとも１つは、複数の異なるヌメロロジを含む。
【００２０】
所定の関係する実施形態において、少なくとも１つの送信機および／または受信機は、複数の異なるヌメロロジの中の第１のヌメロロジの開始周波数と帯域幅とを指し示す、第１および第２の整数ＢおよびＤを送信および／または受信するようさらに構成され、開始周波数はＢ＊Ｋ１＊Δｆにしたがって定義され、第１のヌメロロジの帯域幅はＤ＊Ｋ１＊Δｆにしたがって定義され、Ｋ１はシングルキャリアのヌメロロジの最小のサブキャリア間隔の単位で表される第１のヌメロロジの最小のアドレス指定可能な単位の帯域幅を示し、Δｆは最小のサブキャリア間隔を示す。
【００２１】
所定の関係する実施形態において、少なくとも１つの送信機および／または受信機は、複数の異なるヌメロロジの中の第２のヌメロロジの開始周波数と帯域幅とを指し示す第３および第４の整数ＡおよびＣを送信および／または受信するようさらに構成され、第２のヌメロロジの開始周波数はＡ＊Ｋ２＊Δｆにしたがって定義され、第２のヌメロロジの帯域幅はＣ＊Ｋ２＊Δｆにしたがって定義され、Ｋ２はシングルキャリアのヌメロロジの最小のサブキャリア間隔の単位で表される第２のヌメロロジの最小のアドレス指定可能な単位の帯域幅を示し、Δｆは最小のサブキャリア間隔を示す。
【００２２】
所定の関係する実施形態において、第１乃至第４の整数は、ダウンリンク制御情報（ＤＣＩ）で送信される。
【００２３】
所定の関係する実施形態において、少なくとも１つの送信機および／または受信機は、複数の異なるヌメロロジのうちの少なくとも１つのそれぞれの開始周波数および帯域幅を指し示すビットマップを送信または受信するようさらに構成される。
【００２４】
開示された主題のいくつかの実施形態においては、装置は、シングルキャリア内で利用可能な複数の異なるヌメロロジのうちの少なくとも１つを用いてマルチサブキャリアシステムのリソースをアドレス指定するよう構成されるアドレス指定モジュールを含み、複数の異なるヌメロロジは第１の帯域幅および第１のサブキャリア間隔Δｆ１を有するリソースブロック（ＲＢ）を有する第１のヌメロロジと、第２の帯域幅およびΔｆ１とは異なる第２のサブキャリア間隔Δｆ２を有するＲＢを有する第２のヌメロロジとを含み、第１のヌメロロジは、ｍ＊Δｆ１＋Ｆｒｅｆにしたがって周波数リファレンスに対して周波数ドメインで位置合わせされ、第２のヌメロロジは、ｎ＊Δｆ２＋Ｆｒｅｆにしたがって周波数リファレンスに対して周波数ドメインで位置合わせされ、ｍおよびｎは整数である。装置は、複数の異なるヌメロロジのうちの少なくとも１つにしたがって、シングルキャリア内で情報を送信および／または受信するように構成される送信および／または受信モジュールをさらに含む。
【００２５】
所定の関係する実施形態において、第１のヌメロロジの割当てられるＲＢのサブキャリアは、Δｆ１またはΔｆ２の関数であるサイズを有する周波数ギャップによって第２のヌメロロジの割当てられるＲＢのサブキャリアと離間される方法。
【００２６】
所定の関係する実施形態においては、第１のサブキャリア間隔Δｆ１は、Δｆ２＝Ｎ＊Δｆ１となる整数のスケーリングファクタＮによって第２のサブキャリア間隔Δｆ２と関連付けられる。
【００２７】
所定の関係する実施形態において、Δｆ１＝１５ｋＨｚでありΔｆ２＝６０ｋＨｚである。シングルキャリアは例えば２０ＭＨｚのキャリアまたは１０ＭＨｚのキャリアであってもよい。
【００２８】
所定の関係する実施形態において、マルチサブキャリアシステムは直交周波数分割多重（ＯＦＤＭ）システムである。マルチサブキャリアシステムは、プリコーデッド・マルチサブキャリアシステムであってもよく、プリコーデッド・マルチサブキャリアシステムは離散フーリエ変換（ＤＦＴ）拡散ＯＦＤＭ（ＤＦＴＳ−ＯＦＤＭ）システムであってもよい。
【００２９】
所定の関係する実施形態において、複数の異なるヌメロロジのうちの少なくとも１つは、複数の異なるヌメロロジを含む。
【００３０】
所定の関係する実施形態において、送信および／または受信モジュールは、複数の異なるヌメロロジの中の第１のヌメロロジの開始周波数と帯域幅とを指し示す、第１および第２の整数ＢおよびＤを送信および／または受信するようさらに構成され、第１のヌメロロジの開始周波数はＢ＊Ｋ１＊Δｆにしたがって定義され、第１のヌメロロジの帯域幅はＤ＊Ｋ１＊Δｆにしたがって定義され、Ｋ１はシングルキャリアのヌメロロジの最小のサブキャリア間隔の単位で表される第１のヌメロロジの最小のアドレス指定可能な単位の帯域幅を示し、Δｆは最小のサブキャリア間隔を示す。
【００３１】
所定の関係する実施形態において、送信および／または受信モジュールは、複数の異なるヌメロロジの中の第２のヌメロロジの開始周波数と帯域幅とを指し示す、第３および第４の整数ＡおよびＣを送信および／または受信するようさらに構成され、第２のヌメロロジの開始周波数はＡ＊Ｋ２＊Δｆにしたがって定義され、第２のヌメロロジの帯域幅はＣ＊Ｋ２＊Δｆにしたがって定義され、Ｋ２はシングルキャリアのヌメロロジの最小のサブキャリア間隔の単位で表される第２のヌメロロジの最小のアドレス指定可能な単位の帯域幅を示し、Δｆは最小のサブキャリア間隔を示す。
【００３２】
所定の関係する実施形態において、第１乃至第４の整数は、ダウンリンク制御情報（ＤＣＩ）で送信される。
【００３３】
所定の関係する実施形態において、送信および／または受信モジュールは、複数の異なるヌメロロジのうちの少なくとも１つのそれぞれの開始周波数および帯域幅を指し示すビットマップを送信または受信するようさらに構成される。
【図面の簡単な説明】
【００３４】
図面は開示された主題の選択された実施形態を示す。図中、同様の参照ラベルは同様の特徴を示す。
【００３５】
【図１】開示された主題の実施形態に係る、周波数が分離された異なるヌメロロジを有する２つの信号を示す。
【００３６】
【図２】開示された主題の実施形態に係る、異なるヌメロロジに対して異なるリソースブロック（ＲＢ）アライメントおよび周波数オフセット（ずれ）を示す。
【００３７】
【図３】開示された主題の実施形態に係る、整数ＡおよびＣ、ならびにＢおよびＤのそれぞれに基づく共通周波数リファレンスに関連して定義された２つの異なるヌメロロジに対して、割当の開始および帯域幅がどのように判定されるかを示す。
【００３８】
【図４】開示された主題の実施形態に係る、同一キャリア上の２つのヌメロロジの間のガードバンドを生成するためにＲＢがどのように割当てられるかを示す。
【００３９】
【図５】開示された主題の実施形態に係る、図４のガードバンドのより詳細な例を示す。
【００４０】
【図６】開示された主題の実施形態に係る、図４のガードバンドのより詳細な別例を示す。
【００４１】
【図７】開示された主題の実施形態に係る、異なるヌメロロジの周波数領域多重を示す。
【００４２】
【図８】開示された主題の実施形態に係る、異なるヌメロロジを備える２つのサブバンドを示す。
【００４３】
【図９】開示された主題の実施形態に係る、第１および第２のヌメロロジ１および２の間にガードとして挿入される狭帯域サブキャリアを示す。
【００４４】
【図１０】開示された主題の実施形態に係る、ヌメロロジ１および２の間にガードとして挿入される４つの狭帯域サブキャリアを示す。
【００４５】
【図１１】開示された主題の実施形態に係る、ヌメロロジ１および２の間にガードとして挿入される８つの狭帯域サブキャリアを示す。
【００４６】
【図１２】開示された主題の実施形態に係る通信システムを示す。
【００４７】
【図１３Ａ】開示された主題の実施形態に係る無線通信デバイスを示す。
【００４８】
【図１３Ｂ】開示された主題の別の実施形態に係る無線通信デバイスを示す。
【００４９】
【図１４Ａ】開示された主題の実施形態に係る無線アクセスノードを示す。
【００５０】
【図１４Ｂ】開示された主題の別の実施形態に係る無線アクセスノードを示す。
【００５１】
【図１５】開示された主題のさらに別の実施形態に係る無線アクセスノードを示す。
【００５２】
【図１６】開示された主題の実施形態に係る、無線通信デバイスまたは無線アクセスノードを動作させる方法を説明するフローチャートである。
【発明を実施するための形態】
【００５３】
以下の説明は、開示された主題の様々な実施形態を提示する。これらの実施形態は例を教示するものとして提示され、開示された主題の範囲を限定するものとして解釈されるべきではない。例えば、説明される実施形態の特定の詳細は、開示された主題の範囲を逸脱することなく、変更され、省略され、または拡張されてもよい。
【００５４】
いくつかの実施形態では、キャリアの物理リソースは、それぞれが共通周波数リファレンスに関して定義される位置に配置されたサブキャリアに対応する複数のヌメロロジを用いて割当てられ、および／またはアドレス指定される。このコンテキストにおいて、「ヌメロロジ」という用語は、一般に、ＯＦＤＭシステムといったマルチサブキャリアシステムにおける物理リソースの設定を指す。そのような設定は、例えば、サブキャリア間隔、シンボル期間、サイクリックプレフィックス、リソースブロックサイズ、等を含んでもよい。一例として、１０ＭＨｚまたは２０ＭＨｚのキャリアの物理リソースは１５ｋＨｚのサブキャリア間隔を有し、２つのヌメロロジのそれぞれのサブキャリアが同一の周波数リファレンスに関して定義される位置に配置される、第１のヌメロロジと６０ｋＨｚのサブキャリア間隔を有する第２のヌメロロジとを用いてアドレス指定および／または割当てられてもよい。所定の関連する実施形態において、異なるデバイス間にアドレス指定（アドレッシング）および／または割当てを設定するおよび／または通信するためにシグナリングが提供される。
【００５５】
以下の説明において、全てのヌメロロジに対して共通の周波数リファレンスは、「Ｆｒｅｆ」として表示される。周波数リファレンスＦｒｅｆは、例えばＥＡＲＦＣＮ／ＵＡＲＦＣＮ／ＮＸ−ＡＲＦＣＮ周波数ラスタに由来しても（関連しても）よく、（ＬＴＥにおけるＰＳＳ／ＳＳＳ、またはＮＸにおけるＳＳＩ、ＭＲＳ、ＢＲＳといった）同期信号を用いてノードによって取り出されてもよい。
【００５６】
所定の実施形態において、ヌメロロジの周波数アライメントは、第１のヌメロロジのリソースブロック（ＲＢ）がｙ＊Ｎ１＊Δｆ１＋Ｆｒｅｆで開始し（おそらくＲＢの第１のサブキャリアの中央で定義される）、第２のヌメロロジのＲＢがｚ＊Ｎ２＊Δｆ２＋Ｆｒｅｆで開始し、ここで「ｙ」および「ｚ」は整数であり、Δｆ１およびΔｆ２は第１および第２のヌメロロジの個別のサブキャリア間隔であるようにずらされる。
【００５７】
所定の実施形態では、ＲＢサイズは、Ｎ２＝Ｎ１となるように、またはより一般的には、Δｆ２がΔｆ２＝ＸΔｆ１に関連する場合に（Ｎ２＊Ｘ）／Ｎ１が整数となるように選択される。割当情報のシグナリングは、割当情報が参照するヌメロロジにおいてＲＢのセットにマッピングされるべきである。
【００５８】
所定の実施形態では、第２のヌメロロジのＲＢ帯域幅はＸ＊Ｎ１＊Δｆ１である。もしくは、別の表現で言うと、第２のヌメロロジにおけるＲＢの帯域幅は第１のヌメロロジにおけるＲＢの帯域幅のＸ倍と等しい。
【００５９】
割当をアドレス指定する場合、シグナリングはＲＢグリッドより粗いグリッドを用いてもよく、実施形態は、最小のΔｆを備えるヌメロロジのＲＢグリッドの粒度を有するヌメロロジの間でガードバンドの制御を可能にするよう本明細書で提示される。
【００６０】
所定の実施形態は、位置合わせされたサブキャリア位置を可能にし、全てのヌメロロジのサブキャリアは同一の周波数リファレンスに関連する自然グリッド上で終了する。これは、実装およびシグナリングを単純化しうる。
【００６１】
近接ノードにおける（または同一のノードから送信される異なるビーム上の）異なるヌメロロジの割当ては、周波数的に配置されうる。これは、予測可能な干渉パターンを生成し、干渉キャンセル技術を利用可能にする。さらに、ガードバンド無しで異なるセル内の近接する割当てを可能にする。
【００６２】
各ＲＢは自然グリッド上に配置されるため、同一のヌメロロジのＲＢはセルにわたって位置づけられる。これはセルにわたって直交するリファレンス信号を利用可能にする。
【００６３】
所定の実施形態は、割当ての通常のアドレス指定以外の明示的なシグナリングなしに、同一キャリア上のヌメロロジの間にガードバンドを生成することを可能にする。これは、（所与の端末が１つのみのヌメロロジにスケジュールされた場合）同一キャリア上の端末に対してヌメロロジが混在することを可能にする。また、ガードバンドサイズが特定のシナリオに適応することを可能にする。より少ないガードバンドは、ＳＮＲが高いシナリオと比較して、低い信号対雑音比（ＳＮＲ）のシナリオにおいて必要とされうる。
【００６４】
説明される実施形態は、以下を含む、発明者によってなされる様々な観察に鑑みて開発される。
【００６５】
いくつかのサービスは、遅延を削減するために、ＬＴＥと比較してより短い送信時間間隔（ＴＴＩ）を要求する。ＯＦＤＭシステムにおいて、より短いＴＴＩはサブキャリア間隔を変えることによって実現されうる。他のサービスは、緩和された同期要件の下で動作し、遅延スプレッドに対する非常に高いロバスト性をサポートする必要があってもよく、これはサイクリックプレフィックスで動作する（ＮＸに想定されているような）システムにおいてサイクリックプレフィックスを拡張することで達成されることができる。これらは可能な要件の例に過ぎない。
【００６６】
サブキャリア間隔およびサイクリックプレフィックス長といったパラメータを選択することは、競合する目標の間でのトレードオフになる。これは、５Ｇ無線アクセス技術（ＲＡＴ）が一般的にヌメロロジと呼ばれる伝送パラメータのいくつかの変形をサポートする必要性を示している。そのような伝送パラメータは、（ＯＦＤＭシステムにおいてサブキャリア間隔に直接的に関連する）シンボル期間、またはガードインターバルもしくはサイクリックプレフィックス期間であってもよい。
【００６７】
さらに、同一の周波数帯上でいくつかのサービスをサポートできることは有益であってもよく、複数のヌメロロジは同一ノード上で動作してもよいし、しなくてもよい。これは、異なるサービス間で（例えば帯域幅の）リソースの動的割当てや、効率的な実装またはデプロイメントを可能にする。さらに、いくつかの場合において、同一バンド上で１より多いヌメロロジを同時に用いる必要がある（「バンド」という用語は、ネットワークによってサービスを提供されるキャリアまたはキャリアのセットを意味する）。
【００６８】
ＭＢＢ端末は、例えば１５ｋＨｚのサブキャリア間隔でサービスを提供されうる。典型的なサイクリックプレフィックスは５マイクロ秒より短く、１０％未満のオーバーヘッドを構成する。非常に低い遅延を要求するマシンタイプコミュニケーション（ＭＴＣ）デバイスのような別のデバイスは、６０ｋＨｚ（または７５ｋＨｚ）のサブキャリア間隔でサービスを提供されうる。ＭＢＢ端末のような同一のデプロイメントに整合させるためには、類似の長いガードインターバルが必要とされる。ガードインターバルは、知られた言葉であるサイクリックプレフィックスであってもよく、またはゼロ値のサンプルを含む本当のガードインターバルであってもよい。以下では、ガードインターバルという用語は、それらのいずれかを参照する。
【００６９】
ＯＦＤＭシンボルの期間は、サブキャリア間隔の逆数、すなわち１／Δｆである、すなわち、ワイドサブキャリアのＯＦＤＭシンボルは、ナローサブキャリアのＯＦＤＭシンボルより短い。例えば、Δｆ１＝１５ｋＨｚのＯＦＤＭシンボルのシンボル期間は１／Δｆ１＝６７マイクロ秒であり、Δｆ２＝６０ｋＨｚのシンボル期間は１／Δｆ２＝１７マイクロ秒である。４．７マイクロ秒のガードインターバルは、それぞれΔｆ１＝１５ｋＨｚおよびΔｆ２＝６０ｋＨｚのワイドサブキャリアのＯＦＤＭシンボルに対しては５％および２２％のオーバーヘッドを構成する。ＭＴＣサービスのために確保されたリソース（サブキャリア）量は、大きなオーバーヘッドに起因して必要とされる量に適合されるべきである。
【００７０】
別のユースケースは、別の種類のＭＴＣサービスに対して、Δｆ２＝１５ｋＨｚとΔｆ１＝３．７５ｋＨｚ（すなわち、より狭帯域なヌメロロジ）の混合であってもよい。このヌメロロジのサイクリックプレフィックスのオーバーヘッドがΔｆ２＝１５ｋＨｚに対するものより低い一方、サブキャリア帯域幅は非常に狭く、ドップラのロバスト性によって低速で移動する端末のみをサポートする。それゆえ、Δｆ１＝３．７５ｋＨｚに確保されたリソース（サブキャリア）量は、必要なニーズに再度適合されるべきである。ＮＸ／ＮＲに対する合理的な仮定は、サポートされるヌメロロジは、整数のスケーリングファクタによって互いに関係づけられる：Δｆ２＝ＸΔｆ１で、Δｆ２およびΔｆ１はそれぞれワイドおよびナローサブキャリア間隔である。
【００７１】
異なるヌメロロジ（たとえばＯＦＤＭサブキャリア帯域幅）は互いに直交していない。すなわち、サブキャリア帯域幅Δｆ１を有するサブキャリアは、帯域幅Δｆ２のサブキャリアに干渉する、または同一のサブキャリア間隔だが異なるサイクリックプレフィックス（ＣＰ）を有する２つのＯＦＤＭヌメロロジは互いに干渉する。フィルタ型（Ｆｉｌｔｅｒｅｄ）またはウィンドウ型（ｗｉｎｄｏｗｅｄ）ＯＦＤＭにおいて、異なるヌメロロジ間の干渉を抑圧するために信号処理が導入される。典型的には、ガードバンドはヌメロロジの間に挿入される必要がある。
【００７２】
いずれの通信システムにおいても、リソースはアドレス指定される、またはインデックス付けられる必要がある。典型的な例は、ダウンリンクにおいて送信をスケジュールし、制御チャネル上で何れのリソースが用いられるかをシグナリングする場合、またはアップリンクグラントをシグナリングする場合、等である。一般的に、アドレス指定（アドレッシング）またはインデックス付け（インデキシング）は、上述したように第１および／または第２のヌメロロジによって方式が定義されるまたは制限されるように、アドレス指定方式に従ってリソースのセットが識別される場合に発生する。
【００７３】
周波数ドメインにおける基本的な最小単位は単一のサブキャリアであってもよい。より大きい最小のアドレス指定可能な単位（または代替的にリソース割当てまたはリソースグリッドにおけるより大きな粒度と表現される）を有するいくつかの理由がある。これらは、
・シグナリングオーバーヘッド：最小のアドレス指定可能な単位のサイズが小さくなった場合、リソースに対処するために必要なビット数が増える、
・処理的な観点：より大きな間隔にわたってパラメータが一定であると仮定されうる場合、処理性能を向上しうる。典型的な例は（セル内またはセル間）干渉である、および
・実装的な観点、
を含む。
【００７４】
大きすぎる最小のアドレス指定可能な単位を有すると、システムの柔軟さが制限される。例えば、最小の許容される割当ては過度に大きくなりすぎてはならない。
【００７５】
ＬＴＥにおいて、周波数ドメインにおける最小のアドレス指定可能な単位は、典型的には１２個のサブキャリア幅の単一の物理リソースブロック（ＰＲＢ）である。いくつかの場合は、粒度はより大きい（割当がビットマップを用いてシグナリングされる場合、リソースブロックのグループは最大４８個のサブキャリアである）。
【００７６】
簡略化のために、本説明は、最小のアドレス指定可能な単位を指し示すために「ＲＢ」というラベルを用い、ヌメロロジ１におけるＲＢごとのサブキャリア数を指し示すために「Ｎ１」というラベルを用い、ヌメロロジ２におけるＲＢごとのサブキャリア数を指し示すために「Ｎ２」というラベルを用いる。これらのラベルの使用は、最小のアドレス指定可能な単位を必ずしもリソースブロックに限定するものではなく、ヌメロロジ数を２つに限定するものでもない。
【００７７】
以上の理由から、ＲＢサイズまたは代替的にリソースグリッドの粒度を選択することはトレードオフであり、絶対的な周波数の観点から同じ最小のアドレス指定可能な単位は異なるヌメロロジによっては異なってもよい。同時に、キャリア上で混合されるヌメロロジの最小のアドレス指定可能な単位は、上述したように必要なガードバンドを生成することを可能にすべきである。上述した信号処理の態様を満たすために、そしてリソースを効率的に共有できるように、異なるヌメロロジのリソース割当て方式を一致させることも望ましい。
【００７８】
絶対周波数での最小のアドレス指定可能な単位がキャリア上で動作する全てのヌメロロジに対して適切に選択されない場合、（より大きなサブキャリア間隔Δｆを有する）いくつかのヌメロロジは、（周波数リファレンスに対するサブキャリア間隔の整数倍で変調されたサブキャリア上の）自然なサブキャリアグリッドに対するオフセットで割当てられてもよい。これは、実装的な視点からは望ましくない。
【００７９】
リソースグリッドがヌメロロジ間で適切に配置されていない場合、干渉レベルは割当てにわたって必要以上に変動しうる。一例として、２つの隣接セルにおける割当てについて、隣接した、ガードインターバルを生成することなく重複していないリソースを占有することができなくてもよい。そして実際に重複が望ましい場合、それは完全ではなくてもよく、割当にわたって干渉の環境が変動する結果となる。
【００８０】
さらに、リソースのアドレス指定が適切に設計されていない場合、複数のヌメロロジを考慮して、混合されたヌメロロジシステムにおけるヌメロロジ間で適切なガードバンドを割当てることができなくてもよい。これらのガードバンドは過度に大きくする必要があり、リソースの無駄につながりうる。さらに、複数のヌメロロジは、共通周波数リファレンスに関係すべきであってもよい。
【００８１】
上記のそして他の考慮事項に照らして、同一キャリア上で動作するサブキャリアおよびヌメロロジのＲＢグリッドについて、以下のコンセプト（１）〜（４）が示される。一般性を失うことなく、サブキャリア間隔Δｆ２およびΔｆ１がΔｆ２＞＝Δｆ１によって関係付けられると仮定する。また、２つのみのヌメロロジが用いられると仮定するが、説明されるコンセプトは容易に任意の数のヌメロロジに適用されうる。
（１）混合されたヌメロロジを適用するシステムにおいて、ヌメロロジ２のサブキャリアがその自然なサブキャリアグリッド（ｎ＊Δｆ２＋Ｆｒｅｆ、ｎは整数）上に位置するよう、ヌメロロジ１とヌメロロジ２との間に周波数ギャップが挿入される。ヌメロロジ１のサブキャリアはその自然なサブキャリアグリッド（ｎ＊Δｆ１）上に位置する。これは図２で説明される。図２において、陰影のある三角形は２つのヌメロロジにおけるサブキャリアのメインローブを示す。なお、図２の描画は概略図であり、サブキャリアは実際には、無限に持続しながらゆっくり減衰するｓｉｎｃ関数である。
（２）  コンセプト（１）およびヌメロロジ２の付加的なＲＢがヌメロロジ１のＲＢが開始するグリッドから開始する。ＲＢの開始は、例として第１のサブキャリアを介して定義される。この例を図２で説明する。
（３）  上述のコンセプト（２）およびヌメロロジ１の付加的なＲＢグリッドはｙ＊Ｎ１＊Δｆ１＋Ｆｒｅｆ（Ｎ１はヌメロロジ１のＲＢサイズ、ｙは整数）である。
（４）  上述のコンセプト（１）およびヌメロロジ２の付加的なＲＢがヌメロロジ２の自然なグリッド、すなわちｚ＊Ｎ２＊Δｆ２＋Ｆｒｅｆ（Ｎ２はヌメロロジ２のＲＢサイズ、ｚは整数）から開始する。
【００８２】
Δｆ２がΔｆ２＝ＸΔｆ１で、Ｘは整数としてΔｆ１に関係付けられる場合、コンセプト（２）、（３）、（４）は任意の整数ｚを提供し、整数ｙはｙ＊Ｎ１＊Δｆ１＝ｚ＊Ｎ２＊Δｆ２＝ｚ＊Ｎ２＊ＸΔｆ１−＞ｙ＊Ｎ１＝ｚ＊Ｎ２＊Ｘ  となる。
【００８３】
これは（Ｎ２＊Ｘ）／Ｎ１が整数であるべきであることをもたらす。Ｎ２＝Ｎ１の場合、これは常に満たされる。
【００８４】
以下の説明において、「Ｋ２」はキャリアに適用可能なヌメロロジの最小のサブキャリア間隔で表されるヌメロロジ２のＲＢの帯域幅を意味する。Ｎ２＝Ｎ１の場合、Ｋ２＝Ｘ＊Ｎ１である。同様に、「Ｋ１」はキャリアに適用可能なヌメロロジの最小のサブキャリア間隔で表されるヌメロロジ１のＲＢの帯域幅を示す。
【００８５】
サブキャリア間隔Δｆはキャリアに対して定義される最も狭いサブキャリア間隔を示す。例えば、キャリアがサブキャリア間隔Δｆ１＝１５ｋＨｚの第１のヌメロロジとサブキャリア間隔Δｆ２＝６０ｋＨｚの第２のヌメロロジを採用する場合、最も狭いサブキャリア間隔Δｆは１５ｋＨｚである。
【００８６】
Δｆの個別の値Ｋ１およびＫ２は、図３に示すように、（例えば無線通信デバイスまたは無線アクセスノードの）デバイスが異なるヌメロロジの個別の開始および帯域幅を判定するために使用されうる。
【００８７】
図３は、開示された主題の実施形態に係る、どのように割当の開始および幅が、整数ＡおよびＣ並びにＢおよびＤに基づく共通周波数リファレンスへの関係付けで定義される２つの異なるヌメロロジに対して定義されうるかを示す。図４は、開示された主題の実施形態に係る、どのようにＲＢが、同一キャリア上の２つのヌメロロジ間にガードバンドを生成するよう割当てられるかを示す。
【００８８】
図３を参照し、整数が１以上のデバイスから１以上の他のデバイスへ（例えばｅＮＢから１以上のＵＥへ）通知されてもよい。シグナリングは、受信デバイスが、比較的低いオーバーヘッドでヌメロロジのそれぞれの開始周波数および幅を判定することを可能にする。なお、図３の例において、２つの異なるヌメロロジに対応する２つのデータブロックは２人の異なるユーザに割当てられてもよい。
【００８９】
図３の例において、第１のヌメロロジの開始周波数はＦｒｅｆに関連付けてＦｒｅｆ＋Ｂ＊Ｋ１＊Δｆとして定義され、第１のヌメロロジの幅はＤ＊Ｋ１＊Δｆとして定義される。同様に、第２のヌメロロジの開始周波数はＦｒｅｆに関連付けてＦｒｅｆ＋Ａ＊Ｋ２＊Δｆとして定義され、第１のヌメロロジの幅はＣ＊Ｋ２＊Δｆとして定義される。
【００９０】
いくつかの実施形態では、ＡおよびＣはダウンリンク制御情報（ＤＣＩ）で通知され、ＢおよびＤもＤＣＩで通知され、ＡおよびＣを搬送するＤＣＩはＢおよびＤを搬送するＤＣＩと同一であってもよいし異なってもよい。
【００９１】
いくつかの実施形態では、Ｋ１およびＫ２はあらかじめ設定された値であってもよく、例えば製品または標準の仕様によって定義される。いくつかの他の実施形態では、Ｋ１およびＫ２は準静的に設定される。図中、キャリアに対して定義される最も狭いサブキャリア間隔をΔｆによって表す。これは固定である（仕様書で定義される）または動的に設定されうる。
【００９２】
この例の変形例を図３および４に示すように、いくつかの状況においてビットマップが整数の代わりに通知されてもよい。ビットマップでは、各ビットはキャリアの一部（ビットマップが対応するヌメロロジにおけるＭ個のＲＢのグループ）を表し、ビットの値は帯域の一部が割当てられるか否かを示す。単一ビットに、大きなＲＢのグループを指し示させることは、（搬送される必要があるビットがより少なくなり）シグナリング負荷を削減する。図３および４に示す本例のさらに別の代替によれば、ＵＥは定義されたヌメロロジのテーブル（または他の適用可能なデータ構造）を格納してもよく、ＵＥは定義されたヌメロロジに対して関連する情報のＵＥに通知する、テーブルＵＥのインデックスを受信してもよい。
【００９３】
特定の実施形態に係る複数のヌメロロジを備えるシステムにおいて、ビットは、ヌメロロジのＲＢグリッドによって定義される１以上のＲＢを指し示す。ガードバンドは、（図６上部の例に示すように）割当のビットマップを適切に設定することによって挿入されうる。なお、この例から、最小のガードバンドは、単一ビットによって指し示されるＲＢグループのサイズと同じである可能性がある。これは過度に大きなガードバンドにつながりうる。
【００９４】
ここで、ビットマップと共に（０〜Ｍ−１の値をもつ）オフセット（このために必要なビット数はｌｏｇ２（Ｍ）である）を知らしめることを提案する。オフセットは、各ビットによって指し示されるＲＢグループの開始ＲＢを変更する。これは、最小のサブキャリア間隔を有するヌメロロジのＲＢサイズの粒度に基づくガードバンドを制御することを可能にする。このアイデアを図６（下部の割当て例）に示す。なお、割当を表すこの方法で、上述したＲＢグリッドは依然として守られている。
【００９５】
以下は、混合されたヌメロロジのシステムの他の可能な特徴の説明と共に、上記で提示された特定のコンセプトのさらなる説明である。
【００９６】
混合されたヌメロロジをサポートするＯＦＤＭシステムにおいて、異なるＯＦＤＭヌメロロジは同一キャリア上の周波数ドメインで多重化される。これにより、要件が大きく異なるサービス、例えば、超低遅延通信（短いシンボルおよび広いサブキャリア間隔）とＭＢＭＳサービス（長いサイクリックプレフィックスを利用可能にする長いシンボルおよび狭いサブキャリア間隔）とを、同時にサポートすることができる。
【００９７】
従来のＯＦＤＭシステムにおいて、全てのサブキャリアは互いに直交する。サブキャリア伝達関数は「レンガ壁」のパルスではなくｓｉｎｃに似た（離散時間信号処理における矩形パルスは厳密にはｓｉｎｃ関数ではないため、ｓｉｎｃに似た）振る舞いを有する。サブキャリア間の直交性は、サブキャリア帯域幅へのエネルギーの閉じ込めではなく、波形の特性によって達成される。周波数ドメインで多重化された異なるヌメロロジ（サブキャリア帯域幅および／またはサイクリックプレフィックス長）のＯＦＤＭシステムにおいて、図７に示すように、ヌメロロジ内のサブキャリアのみが互いに直交する。１つのヌメロロジのサブキャリアは、サブキャリア帯域外にエネルギーが漏れ、他のヌメロロジのサブキャリアフィルタによって取り出されるため、別のヌメロロジからのサブキャリアと干渉する。
【００９８】
ヌメロロジ間の干渉を低減するために、各ヌメロロジの送信スペクトルはより閉じ込められなければならない。すなわち、より良いスペクトラムのロールオフが求められる。
【００９９】
図８は異なるヌメロロジの２つのサブバンドを示す。アグレッサヌメロロジ（一点鎖線）は、ビクティムヌメロロジ（８１０）の通過域で送信されたエネルギーを低減するためのスペクトラム放出閉じ込め技術を適用しなければならない。しかしながら、より急峻なロールオフ（８１５）なしではビクティム受信器はアグレッサヌメロロジの通過域からの高い干渉を取り出すため、放出制御のみでは十分ではない。ビクティム受信器（８２０）およびアグレッサ送信器（８１０）が改善されたフィルタ関数を有する場合にのみ、ヌメロロジ間の干渉は効率的に低減される。
【０１００】
ウィンドイングおよびフィルタリングは、スペクトル閉じ込めの観点から送信機および受信機の特性を改善するための技術である。
【０１０１】
ガードトーンは、ヌメロロジ間の干渉を低減し、必要とされるスペクトラム閉じ込めの必要とされる度合いを緩和するためにヌメロロジ間に挿入されうる。ガードトーンを付加することは、わずかにオーバーヘッドを増加させる。１２００個のサブキャリアを有する２０ＭＨｚのシステムにおいて、１つのガードトーンは０．１％未満のオーバーヘッドに相当する。ガードトーンを絶対的に最小限に抑えるよう試みることは、（送信機と受信機の両方でスペクトラム閉じ込め技術の要件を増加させるため）その努力に値するものではなく、以下に概説するように、他のシステムの設計の側面も複雑になる。
【０１０２】
図９は、開示された主題の実施形態に係る、第１および第２のヌメロロジ１および２の間にガードインターバルとして挿入される狭帯域サブキャリアを示す。ヌメロロジ２の第１のサブキャリアは４１×１５「ｋＨｚ」に位置し、６０ｋＨｚのサブキャリアグリッドにおけるサブキャリア１０．２５に相当する。
【０１０３】
図９を参照し、１つの狭帯域サブキャリアはヌメロロジ１（９０５、例えば１５ｋＨｚ）とヌメロロジ２（９１０、例えば６０ｋＨｚの４倍の広いサブキャリア）の間のガードとして挿入される。リソースブロックは両方のヌメロロジで１２個の（狭帯域又は広帯域の）サブキャリアである。スケジューリングがヌメロロジ２を指し示すように行われた場合、ヌメロロジ２のサブキャリアは６０ｋＨｚのリソースグリッド上にさえも存在しない（９１０におけるＲＢの第１のサブキャリアは狭いサブキャリア４１上にあり、広いサブキャリア１０．２５、従って小数のサブキャリアシフトに相当する）。
【０１０４】
小数のサブキャリアシフトを避けるために、各ヌメロロジのサブキャリア周波数は、ヌメロロジのサブキャリア間隔Δｆを用いてヌメロロジの自然なグリッドｎ×Δｆに重なるべきである。しかしながら、この要求にも関わらず、広いリソースブロック（ヌメロロジ２）はセル２と比較して自然グリッド上にはまだない。
【０１０５】
図１０は、例えば、開示された主題の実施形態に係る、ヌメロロジ１および２の間にガードとして挿入される４つの狭帯域サブキャリアを示す。ヌメロロジ２のサブキャリアは自然なリソースグリッド上に位置する。しかしながら、ヌメロロジ２のリソースブロックはセルにわたって位置がずれている。
【０１０６】
そのような位置がずれたリソースグリッドは、（このオフセットはスケジューリングの判断に依存するため）ヌメロロジ２の全てのユーザがこのオフセットについて動的に通知される必要があるということを暗示する。別のセルにおいて、異なるオフセットは図１０に示すように存在してもよいし、別のセルはヌメロロジ２だけで動作してもよい。異なるセルにおいてリソースブロックは位置合わせされず、セル間干渉の調整（ＩＣＩＣ）、セルにわたって直交したリファレンス信号の生成、そしてセルにわたる干渉の予測をより困難にする。
【０１０７】
もしくは、図１０のセル１のリソースブロック１００５は、（「位置ずれ」としてマークされる帯域幅に相当する）小数のリソースブロックでありうる。リファレンス信号およびレートマッチングの特別な定義は、すべての可能な小数のリソースブロックに対して要求されるセル１における小数のリソースブロックおよびセル２の重複するリソースブロックに対して、上述したものと同様の不利益がある。
【０１０８】
図１１は、開示された主題の実施形態に係る、ヌメロロジ１および２の間にガードインターバルとして挿入される８つの狭帯域サブキャリアを示す。ヌメロロジ２のサブキャリアは自然なリソースグリッドに位置し、ヌメロロジ２のリソースブロックはセルにわたって整列される。図１１の例において、リファレンス周波数に対して、ヌメロロジ１（１５ｋＨｚ）のリソースブロックは周波数ｎ×１２×１５ｋＨｚにおいて、ヌメロロジ２（６０ｋＨｚ）のリソースブロックは、周波数ｎ×１２×６０ｋＨｚ（リソースブロックは１２個のサブキャリアであると仮定される）において、常に開始する。これはＩＣＩＣを簡略化し、セルにわたっての干渉の予測を容易にし、セルにわたっての同一のヌメロロジの直交したリファレンス信号を利用可能にする。
【０１０９】
１５／６０ｋＨｚのヌメロロジの組み合わせについて、結果として生じるガードバンドは８個の狭帯域（１５ｋＨｚ）サブキャリアである。１５／３０ｋＨｚまたは３０／６０ｋＨｚの組み合わせについて、ガードバンドは１０個の狭帯域サブキャリアである。約１２００個の狭帯域サブキャリアを有する２０ＭＨｚのシステムにおいて、損失は１％未満である。
【０１１０】
記載された実施形態は、任意の適切な通信規格をサポートする任意の適切なタイプの通信システムで実装され、任意の適切なコンポーネントを使用してもよい。一例として、特定の実施形態は、図１２に示すような通信システムに実装されてもよい。３ＧＰＰシステムおよび専門用語の観点から特定の実施形態について説明されるが、開示されたコンセプトは３ＧＰＰシステムに限定されない。付加的に、「セル」という用語への参照が行われるが、記載されたコンセプトは、例えば第五世代（５Ｇ）システムで用いられるビームなどの、他のコンテキストに適用されてもよい。
【０１１１】
図１２を参照して、通信ネットワーク１２００は複数の無線通信デバイス１２０５（例えば従来のＵＥ、マシン型通信（ＭＴＣ）／マシンツーマシン（Ｍ２Ｍ）ＵＥ）および複数の無線アクセスノード１２１０（例えばｅＮｏｄｅＢ、ｇＮｏｄｅＢ、または他の基地局）を含む。通信ネットワーク１２００はコアネットワーク１２２０に接続される無線アクセスノード１２１０によってサービス提供されるセル領域１２１５へ組み込まれる。無線アクセスノード１２１０は、無線通信デバイス間の、または無線通信デバイスと（固定電話のような）他の通信デバイスとの間の通信をサポートするのに適した付加的なエレメントと連動して、無線通信デバイス１２０５と通信可能である。
【０１１２】
無線通信デバイス１２０５は、ハードウェアおよび／またはソフトウェアの任意の適切な組み合わせを含む、通信デバイスを表すが、これらの無線通信デバイスは、特定の実施形態において、図１３Ａおよび１３Ｂでより詳細に示されるようなデバイスを表す。同様に、図示された無線アクセスノードはハードウェアおよび／またはソフトウェアの任意の適切な組み合わせを含むネットワークノードを表すが、これらのノードは、特定の実施形態において、図１４Ａ、１４Ｂ、および１５でより詳細に示されるようなデバイスを表す。
【０１１３】
図１３Ａを参照し、無線通信デバイス１３００Ａはプロセッサまたは処理回路１３０５（例えば中央処理ユニット（ＣＰＵ）、特定用途向け集積回路（ＡＳＩＣ）、Ｆｉｅｌｄ  Ｐｒｏｇｒａｍｍａｂｌｅ  Ｇａｔｅ  Ａｒｒａｙ（ＦＰＧＡ）、および／またはそのようなもの）、メモリ１３１０、送受信機１３１５、およびアンテナ１３２０を含む。特定の実施形態において、ＵＥ、ＭＴＣもしくはＭ２Ｍデバイス、および／または任意の他のタイプの無線通信デバイスによって提供されるものとして説明した、いくつかまたは全ての機能はメモリ１３１０のようなコンピュータ可読媒体上に格納された命令を実行する処理回路によって提供されてもよい。代替的な実施形態は、本明細書で記載した機能のいずれかを含むデバイスの機能の特定の態様を提供する責任を負う、図１３Ａに示すものを超える付加的なコンポーネントを含んでもよい。
【０１１４】
図１３Ｂを参照し、無線通信デバイス１３００Ｂは、１つ以上の対応する機能を実行するよう構成された少なくとも１つのモジュール１３２５を含む。そのような機能の例は、無線通信デバイスを参照して本明細書で説明されるような様々な方法ステップまたは方法ステップの組み合わせを含む。例えば、モジュール１３２５は、上述したような物理リソースをアドレス指定するよう構成されるアドレス指定モジュールと、上述した情報を送信および／または受信するよう構成された送信および／または受信モジュールとを含んでもよい。一般的に、モジュールは関連する機能を実行するよう構成されるソフトウェアおよび／またはハードウェアの任意の適した組み合わせを含んでもよい。例えば、いくつかの実施形態では、モジュールは図１３Ａに示すような関連するプラットフォーム上で実行される場合に、対応する機能を実行するよう構成されるソフトウェアを含む。
【０１１５】
図１４Ａを参照し、無線アクセスノード１４００Ａはノードプロセッサまたは処理回路１４０５（例えば中央処理ユニット（ＣＰＵ）、特定用途向け集積回路（ＡＳＩＣ）、Ｆｉｅｌｄ  Ｐｒｏｇｒａｍｍａｂｌｅ  Ｇａｔｅ  Ａｒｒａｙ（ＦＰＧＡ）、および／またはそのようなもの）、メモリ１４１０、およびネットワークインタフェース１４１５を含む制御システム１４２０を含む。加えて、無線アクセスノード１４００Ａは、少なくとも１つのアンテナ１４３０に結合される少なくとも１つの送信機１４３５および少なくとも１つの受信機を含む、少なくとも１つの無線ユニット１４２５を備える。いくつかの実施形態では、無線ユニット１４２５は、制御システム１４２０の外部にあり、制御システム１４２０へ例えば有線接続（例えば光ケーブル）を介して接続される。しかしながら、いくつかの他の実施形態では、無線ユニット１４２５および潜在的にアンテナ１４３０は、ともに制御システム１４２０に統合される。ノードプロセッサ１４０５は、本明細書に記載するように、無線アクセスノード１４００Ａの少なくとも１つの機能１４４５を提供するよう動作する。いくつかの実施形態では、機能は、例えばメモリ１４１０に格納されたソフトウェア内に実施され、ノードプロセッサ１４０５によって実行される。
【０１１６】
特定の実施形態において、基地局、ノードＢ、ｅＮｏｄｅＢ、および／または任意の他のタイプのネットワークノードによって提供されるものとして説明した、いくつかまたは全ての機能は、図１４Ａに示すように、メモリ１４１０のようなコンピュータ可読媒体上に格納された命令を実行するノードプロセッサ１４０５によって提供されてもよい。無線アクセスノード１４００の代替的な実施形態は、本明細書に記載された機能および／または関連するサポートする機能のような付加的な機能を提供するための付加的なコンポーネントを備えてもよい。
【０１１７】
図１４Ｂを参照し、無線アクセスノード１４００Ｂは、１つ以上の関連する機能を実行するよう構成された少なくとも１つのモジュール１４５０を含む。そのような機能の例は、無線アクセスノードを参照して本明細書で説明されるような様々な方法ステップまたは方法ステップの組み合わせを含む。例えば、モジュール１４５０は、上述したような物理リソースをアドレス指定するよう構成されるアドレス指定モジュールと、上述した情報を送信および／または受信するよう構成された送信および／または受信モジュールとを含んでもよい。一般的に、モジュールは対応する機能を実行するよう構成されるソフトウェアおよび／またはハードウェアの任意の適した組み合わせを含んでもよい。例えば、いくつかの実施形態では、モジュールは図１４Ａに示すような関連するプラットフォーム上で実行される場合に、対応する機能を実行するよう構成されるソフトウェアを含む。
【０１１８】
図１５は、開示された主題の実施形態に係る仮想的な無線アクセスノード１５００を示すブロック図である。図１５に関して記載されたコンセプトは、他のタイプのネットワークノードにも同様に適用されてもよい。さらに、他のタイプのネットワークノードは類似の仮想化アーキテクチャを有してもよい。本明細書で使用されるように、「仮想化された無線アクセスノード」という用語は、無線アクセスノードの少なくとも一部の機能が、（例えばネットワークにおける物理処理ノード上で実行される仮想マシンを介した）仮想コンポーネントとして実施される無線アクセスノードの実装を参照する。
【０１１９】
図１５を参照し、図１４Ａに関して記載されたような制御システム１４２０を含む。
【０１２０】
制御システム１４２０は、ネットワークインタフェース１４１５を介してネットワーク１５２５の一部として結合または含められた１つ以上の処理ノード１５２０に接続される。各処理ノード１５２０は、１つ以上のプロセッサまたは処理回路１５０５（例えばＣＰＵ，ＡＳＩＣ，ＦＰＧＡ、および／または同様のもの）、メモリ１５１０、およびネットワークインタフェース１５１５を備える。
【０１２１】
本例において、本明細書で記載された無線アクセスノード１４００Ａの機能１４４５は、任意の所望の方法によって、１つ以上の処理ノード１５２０で実施され、または制御システム１４２０および１つ以上の処理ノード１５２０に分散される。いくつかの実施形態において、本明細書に記載される無線アクセスノード１４００Ａのいくつかまたは全ての機能は、処理ノード１５２０によってホストされる仮想環境に実施される１以上の仮想マシンによって実行される仮想コンポーネントとして実施される。当業者は、処理ノード１５２０および制御システム１４２０の間の付加的なシグナリングおよび通信は、所望の機能１４４５のうちの少なくともいくつかを実行するために使用されることを理解するであろう。点線によって指し示されるように、いくつかの実施形態において、制御システムは省略されてもよく、そのような場合、無線ユニット１４２５は適切なネットワークインタフェースを介して処理ノード１５２０と直接通信する。
【０１２２】
いくつかの実施形態において、コンピュータプログラムは、処理回路によって実行された際に、処理回路に、本明細書に記載した実施形態のいずれかに係る仮想環境における無線アクセスノードの１つ以上の機能を実施することによって、無線アクセスノード（例えば無線アクセスノード１２１０または１４００Ａ）または他のノード（例えば処理ノード１５２０）の機能を実行させる命令を含む。
【０１２３】
図１６は、開示された主題の実施形態に係る、無線通信デバイスまたは無線アクセスノードを動作させる方法を説明するフローチャートである。
【０１２４】
図１６を参照して、方法は、シングルキャリア内で利用可能な複数の異なるヌメロロジのうちの少なくとも１つを用いてマルチサブキャリアシステムのリソースをアドレス指定すること（Ｓ１６０５）を含み、複数の異なるヌメロロジは第１の帯域幅および第１のサブキャリア間隔Δｆ１を有するリソースブロックを有する第１のヌメロロジと、第２の帯域幅およびΔｆ１とは異なる第２のサブキャリア間隔Δｆ２を有するＲＢを有する第２のヌメロロジとを含み、第１のヌメロロジは、ｍ＊Δｆ１＋Ｆｒｅｆにしたがって周波数リファレンスに対して周波数ドメインで位置合わせされ、第２のヌメロロジは、ｎ＊Δｆ２＋Ｆｒｅｆにしたがって周波数リファレンスに対して周波数ドメインで位置合わせされ、ｍおよびｎは整数である。
【０１２５】
方法は、さらに、複数の異なるヌメロロジのうちの少なくとも１つにしたがって、シングルキャリア内で情報を送信および／または受信すること（Ｓ１６１０）を含む。
【０１２６】
以下の用語は、とりわけこの説明で使用される。
３ＧＰＰ  第三世代パートナーシッププロジェクト
ＥＡＲＦＣＮ  ＥＵＴＲＡ  Ａｂｓｏｌｕｔｅ  Ｒａｄｉｏ  Ｆｒｅｑｕｅｎｃｙ  Ｃｈａｎｎｅｌ  Ｎｕｍｂｅｒ）
Ｅ−ＵＴＲＡＮ  発展型ユニバーサル地上無線アクセスネットワーク
ＬＴＥ  ロング・ターム・エボリューション
ＮＸ  ３ＧＰＰ  Ｎｅｗ  Ｒａｄｉｏ（代替的にＮＲと称される）
ＮＸ−ＡＲＦＣＮ  Ａｂｓｏｌｕｔｅ  Ｒａｄｉｏ  Ｆｒｅｑｕｅｎｃｙ  Ｃｈａｎｎｅｌ  Ｎｕｍｂｅｒ
ＰＳＳ  プライマリ同期信号
ＳＳＳ  セカンダリ同期信号
ＵＡＲＦＣＮ  ＵＴＲＡ  Ａｂｓｏｌｕｔｅ  Ｒａｄｉｏ  Ｆｒｅｑｕｅｎｃｙ  Ｃｈａｎｎｅｌ  Ｎｕｍｂｅｒ
ＵＴＲＡ  ユニバーサル地上無線アクセス
【０１２７】
前述のように、開示された主題の特定の実施形態は、混合されたヌメロロジを使用して動作するシステムにおいて適切な共存を可能にする、少なくとも２つのヌメロロジについて定義されたリソース割当てグリッドおよび／またはアドレス指定方式を提供する。
【０１２８】
開示された主題は、様々な実施形態を参照して上記に提示されているが、開示された主題の全体的な範囲から逸脱することなく、記載された実施形態に様々な形態および詳細の変更がなされ得ることが理解される。
【図１】
2020053978.tif 000002
【図２】
2020053978.tif 000003
【図３】
2020053978.tif 000004
【図４】
2020053978.tif 000005
【図５】
2020053978.tif 000006
【図６】
2020053978.tif 000007
【図７】
2020053978.tif 000008
【図８】
2020053978.tif 000009
【図９】
2020053978.tif 000010
【図１０】
2020053978.tif 000011
【図１１】
2020053978.tif 000012
【図１２】
2020053978.tif 000013
【図１３Ａ】
2020053978.tif 000014
【図１３Ｂ】
2020053978.tif 000015
【図１４Ａ】
2020053978.tif 000016
【図１４Ｂ】
2020053978.tif 000017
【図１５】
2020053978.tif 000018
【図１６】
2020053978.tif 000019
【手続補正書】
【提出日】令和1年12月5日(2019.12.5)
【手続補正１】
【補正対象書類名】特許請求の範囲
【補正対象項目名】全文
【補正方法】変更
【補正の内容】
【特許請求の範囲】
【請求項１】
ユーザ装置の動作方法であって、
シングルキャリア内で利用可能な複数の異なるヌメロロジのうちの少なくとも１つを用いて、マルチサブキャリアシステムのリソースをアドレス指定することであって、前記複数の異なるヌメロロジは、第１の帯域幅および第１のサブキャリア間隔Δｆ１を有するリソースブロック（ＲＢ）を有する第１のヌメロロジと、第２の帯域幅およびΔｆ１とは異なる第２のサブキャリア間隔Δｆ２を有するＲＢを有する第２のヌメロロジとを含み、前記第１のヌメロロジは、ｍ＊Δｆ１＋Ｆｒｅｆにしたがって周波数リファレンスＦｒｅｆに対して周波数ドメインで位置合わせされ、前記第２のヌメロロジは、ｎ＊Δｆ２＋Ｆｒｅｆにしたがって前記周波数リファレンスに対して前記周波数ドメインで位置合わせされ、ｍおよびｎは整数である、前記アドレス指定することと、
前記複数の異なるヌメロロジのうちの前記少なくとも１つにしたがって、前記シングルキャリア内で情報を送信および／または受信することと、
を含み、
前記複数の異なるヌメロロジの割当ては、近接するノードまたは同一ノードから送信される異なるビームに行われる方法。
【請求項２】
請求項１に記載の方法であって、割当てられた前記第１のヌメロロジのＲＢのサブキャリアは、割当てられた前記第２のヌメロロジのＲＢのサブキャリアと、Δｆ１またはΔｆ２の関数であるサイズを有する周波数ギャップによって離間される方法。
【請求項３】
請求項１に記載の方法であって、前記第１のサブキャリア間隔Δｆ１は、Δｆ２＝Ｎ＊Δｆ１となる整数のスケーリングファクタＮによって前記第２のサブキャリア間隔Δｆ２と関連付けられる方法。
【請求項４】
請求項３に記載の方法であって、Δｆ１＝１５ｋＨｚでありΔｆ２＝６０ｋＨｚである方法。
【請求項５】
請求項１に記載の方法であって、前記シングルキャリアは、１０ＭＨｚまたは２０ＭＨｚの帯域幅を有する方法。
【請求項６】
請求項１に記載の方法であって、前記複数の異なるヌメロロジのうちの前記少なくとも１つは、複数の異なるヌメロロジを含む方法。
【請求項７】
請求項１に記載の方法であって、前記複数の異なるヌメロロジの中の第１のヌメロロジの、周波数リファレンスに対する開始周波数と、幅と、を指し示す、第１および第２の整数ＢおよびＤを送信または受信することをさらに含み、前記第１のヌメロロジの前記開始周波数はＢ＊Ｋ１＊Δｆにしたがって定義され、前記第１のヌメロロジの前記帯域幅はＤ＊Ｋ１＊Δｆにしたがって定義され、Ｋ１は前記シングルキャリアのヌメロロジの最小のサブキャリア間隔の単位で表される前記第１のヌメロロジの最小のアドレス指定可能な単位の帯域幅を示し、Δｆは前記最小のサブキャリア間隔を示す方法。
【請求項８】
請求項７に記載の方法であって、さらに前記複数の異なるヌメロロジの中の第２のヌメロロジの、周波数リファレンスに対する開始周波数と、幅と、を指し示す、第３および第４の整数ＡおよびＣを送信または受信することを含み、前記第２のヌメロロジの前記開始周波数はＡ＊Ｋ２＊Δｆにしたがって定義され、前記第２のヌメロロジの前記帯域幅はＣ＊Ｋ２＊Δｆにしたがって定義され、Ｋ２は前記シングルキャリアのヌメロロジの最小のサブキャリア間隔の単位で表される前記第２のヌメロロジの最小のアドレス指定可能な単位の帯域幅を示す方法。
【請求項９】
請求項７に記載の方法であって、前記第１乃至第４の整数はダウンリンク制御情報（ＤＣＩ）で送信または受信される方法。
【請求項１０】
請求項１に記載の方法であって、前記複数の異なるヌメロロジのうちの前記少なくとも１つのうちのそれぞれのリソース割当てを指し示すビットマップを送信または受信することをさらに含む方法。
【請求項１１】
ユーザ装置であって、
シングルキャリア内で利用可能な複数の異なるヌメロロジのうちの少なくとも１つを用いてマルチサブキャリアシステムのリソースをアドレス指定することであって、前記複数の異なるヌメロロジは、第１の帯域幅および第１のサブキャリア間隔Δｆ１を有するリソースブロック（ＲＢ）を有する第１のヌメロロジと、第２の帯域幅およびΔｆ１とは異なる第２のサブキャリア間隔Δｆ２を有するＲＢを有する第２のヌメロロジとを含み、前記第１のヌメロロジは、ｍ＊Δｆ１＋Ｆｒｅｆにしたがって周波数リファレンスＦｒｅｆに対して周波数ドメインで位置合わせされ、前記第２のヌメロロジは、ｎ＊Δｆ２＋Ｆｒｅｆにしたがって前記周波数リファレンスに対して周波数ドメインで位置合わせされ、ｍおよびｎは整数であるように、全体として構成される処理回路およびメモリと、
前記複数の異なるヌメロロジのうちの前記少なくとも１つにしたがって、前記シングルキャリア内で情報を送信および／または受信するように構成される少なくとも１つの送信器および／または受信器と、
を含み、
前記複数の異なるヌメロロジの割当ては、近接するノードまたは同一ノードから送信される異なるビームに行われるユーザ装置。
【請求項１２】
請求項１１に記載のユーザ装置であって、割当てられた前記第１のヌメロロジのＲＢのサブキャリアは、割当てられた前記第２のヌメロロジのＲＢのサブキャリアと、Δｆ１またはΔｆ２の関数であるサイズを有する周波数ギャップによって離間されるユーザ装置。
【請求項１３】
請求項１１に記載のユーザ装置であって、前記第１のサブキャリア間隔Δｆ１は、前記第２のサブキャリア間隔Δｆ２と、Δｆ２＝Ｎ＊Δｆ１となる整数のスケーリングファクタＮによって関連付けられるユーザ装置。
【請求項１４】
請求項１３に記載のユーザ装置であって、Δｆ１＝１５ｋＨｚでありΔｆ２＝６０ｋＨｚであるユーザ装置。
【請求項１５】
請求項１１に記載のユーザ装置であって、前記シングルキャリアは、１０ＭＨｚまたは２０ＭＨｚの帯域幅を有するユーザ装置。
【請求項１６】
請求項１１に記載のユーザ装置であって、前記複数の異なるヌメロロジのうちの前記少なくとも１つは、複数の異なるヌメロロジを含むユーザ装置。
【請求項１７】
請求項１１に記載のユーザ装置であって、前記少なくとも１つの送信器および／または受信器は，さらに前記複数の異なるヌメロロジの第１のヌメロロジの、周波数リファレンスに対する開始周波数と、幅と、を指し示す、第１および第２の整数ＢおよびＤを送信および／または受信するよう構成され、前記開始周波数はＢ＊Ｋ１＊Δｆにしたがって定義され、前記第１のヌメロロジの前記帯域幅はＤ＊Ｋ１＊Δｆにしたがって定義され、Ｋ１は前記シングルキャリアのヌメロロジの最小のサブキャリア間隔の単位で表される前記第１のヌメロロジの最小のアドレス指定可能な単位の帯域幅を示し、Δｆは前記最小のサブキャリア間隔を示す、ユーザ装置。
【請求項１８】
無線アクセスノードであって、
シングルキャリア内で利用可能な複数の異なるヌメロロジのうちの少なくとも１つを用いてマルチサブキャリアシステムのリソースをアドレス指定することであって、前記複数の異なるヌメロロジは、第１の帯域幅および第１のサブキャリア間隔Δｆ１を有するリソースブロック（ＲＢ）を有する第１のヌメロロジと、第２の帯域幅およびΔｆ１とは異なる第２のサブキャリア間隔Δｆ２を有するＲＢを有する第２のヌメロロジとを含み、前記第１のヌメロロジは、ｍ＊Δｆ１＋Ｆｒｅｆにしたがって周波数リファレンスＦｒｅｆに対して周波数ドメインで位置合わせされ、前記第２のヌメロロジは、ｎ＊Δｆ２＋Ｆｒｅｆにしたがって前記周波数リファレンスに対して周波数ドメインで位置合わせされ、ｍおよびｎは整数であるように一括して構成される処理回路およびメモリと、
前記複数の異なるヌメロロジのうちの前記少なくとも１つにしたがって、前記シングルキャリア内で情報を送信および／または受信するように構成される少なくとも１つの送信器および／または受信器と、
を含み、
前記複数の異なるヌメロロジの割当ては、近接するノードまたは同一ノードから送信される異なるビームに行われる無線アクセスノード。
【請求項１９】
請求項１８に記載の無線アクセスノードであって、割当てられた前記第１のヌメロロジのＲＢのサブキャリアは、割当てられた前記第２のヌメロロジのＲＢのサブキャリアと、Δｆ１またはΔｆ２の関数であるサイズを有する周波数ギャップによって離間される無線アクセスノード。
【請求項２０】
請求項１８に記載の無線アクセスノードであって、前記第１のサブキャリア間隔Δｆ１は、Δｆ２＝Ｎ＊Δｆ１となる整数のスケーリングファクタＮによって前記第２のサブキャリア間隔Δｆ２に関連付けられる無線アクセスノード。
【外国語明細書】
2020053978000001.pdf